(57)【要約】      （修正有）【課題】用途が多様であり、実用性が強く、日常生活により多くの利便性をもたらす、巻き取り式ソファマットレスを提供する。【解決手段】巻き取り式ソファマットレスはパッド本体１を備え、パッド本体１は第１パッドブロック１１と第２パッドブロック１２を備え、第１パッドブロックが突起部１１０を有し、第２パッドブロックが凹部１２０を有し、凹部が突起部と対応して設けられ、第２パッドブロックの両端がそれぞれ第１パッドブロックの両端に接続されている。第２パッドブロックが第１パッドブロックの上面に折り畳まれると、第１パッドブロックの突起部が第２パッドブロックの凹部よりも突出して、ソファ構造が形成され、第２パッドブロックが展開されると、第１パッドブロックの上面が第２パッドブロックの上面と同一平面にあり、第１パッドブロックの突起部が第２パッドブロックの凹部内に位置する。【選択図】図１
0003223774.tif 000002
【実用新案登録請求の範囲】
【請求項１】
巻き取り式ソファマットレスであって、
パッド本体を備え、
前記パッド本体は、突起部を有する第１パッドブロックと、凹部を有する第２パッドブロックとを備え、前記凹部が前記突起部と対応して設けられ、且つ、前記第２パッドブロックの両端がそれぞれ前記第１パッドブロックの両端に接続され、
前記第２パッドブロックが前記第１パッドブロックの上面に折り畳まれると、前記第１パッドブロックの突起部が前記第２パッドブロックの凹部よりも突出することで、ソファ構造が形成され、前記第２パッドブロックが展開されると、前記第１パッドブロックの上面と前記第２パッドブロックの上面が同一平面内に位置し、前記第１パッドブロックの突起部が前記第２パッドブロックの凹部内に位置することで、マットレス構造が形成される、ことを特徴とする巻き取り式ソファマットレス。
【請求項２】
前記第１パッドブロックは、第１カバーと第１ライナーとを備え、
前記第２パッドブロックは、第２カバーと第２ライナーとを備え、
前記第１ライナーは、前記第１カバー内に設けられ、前記第２ライナーは、前記第２カバー内に設けられ、且つ、前記第１カバーの両端は、それぞれ前記第２カバーの両端に接続されている、ことを特徴とする請求項１に記載の巻き取り式ソファマットレス。
【請求項３】
前記第１パッドブロックは、第１ファスナーをさらに備え、前記第１カバーには、第１開口が設けられ、前記第１ファスナーは、前記第１開口に設けられ、
前記第２パッドブロックは、第２ファスナーをさらに備え、前記第２カバーには、第２開口が設けられ、前記第２ファスナーは、前記第２開口に設けられている、ことを特徴とする請求項２に記載の巻き取り式ソファマットレス。
【請求項４】
前記第１ライナーと前記第２ライナーとは、いずれもスポンジライナーである、ことを特徴とする請求項３に記載の巻き取り式ソファマットレス。
【請求項５】
前記第１ライナーは、第１スポンジ層、第２スポンジ層、およびバネ層を備え、
前記第１スポンジ層と前記第２スポンジ層とは、それぞれ前記バネ層の上下両側に設けられ、
前記第２ライナーは、第１スポンジ層、第２スポンジ層、およびバネ層を備え、
前記第１スポンジ層と前記第２スポンジ層とは、それぞれ前記バネ層の上下両側に設けられている、ことを特徴とする請求項３に記載の巻き取り式ソファマットレス。
【請求項６】
前記第１カバーと前記第２カバーとは、ミシン縫製によって接続される、ことを特徴とする請求項２に記載の巻き取り式ソファマットレス。
【請求項７】
前記第１カバーと前記第２カバーとは、ファスナーによって接続される、ことを特徴とする請求項２に記載の巻き取り式ソファマットレス。
【請求項８】
前記第１パッドブロックは、凸字型構造をなし、
前記第２パッドブロックは、凹字型構造をなす、ことを特徴とする請求項１に記載の巻き取り式ソファマットレス。
【請求項９】
前記パッド本体は、２つ設けられ、一方の前記パッド本体の第１パッドブロックが、他方の前記パッド本体の第１パッドブロックに接続され、２つの前記パッド本体が展開された後、マットレスが形成される、ことを特徴とする請求項１に記載の巻き取り式ソファマットレス。
【請求項１０】
一方の前記パッド本体の第１パッドブロックと他方の前記パッド本体の第１パッドブロックは、ファスナーによって接続され、２つの前記パッド本体が展開された後、マットレスが形成される、ことを特徴とする請求項９に記載の巻き取り式ソファマットレス。
【考案の詳細な説明】
【技術分野】
【０００１】
本考案は、ソファマットレスの技術分野に関し、具体的に、ミニ型の巻き取り式の可変なソファマットレスに関する。
【背景技術】
【０００２】
居住面積が大きくない住宅では、空間を節約するために、多機能を有する家具が必要となり、即ち、一つの家具によって様々な用途を実現することができる。しかしながら、従来のマットレスまたはソファでは、以下の欠点が存在する。
１．従来のマットレス又はソファは、構造が簡単であり、機能が単一であり、単一機能のマットレス又はソファは、人々の生活ニーズを満たさない。
２．従来のマットレス又はソファは、圧縮真空巻き取り方式を採用することができず、輸送が不便であり、且つ占用スペースが大きい。
【考案の概要】
【考案が解決しようとする課題】
【０００３】
上記従来技術に存在する問題を解決するために、本考案の主たる目的は、マットレスとしても、ソファとしても使用可能な巻き取り式ソファマットレスを提供することにある。
【課題を解決するための手段】
【０００４】
上記目的を達成するために、本考案は、具体的に、以下の技術的手段を講じた。
【０００５】
本考案は、巻き取り式ソファマットレスを提供する。当該巻き取り式ソファマットレスは、パッド本体を備え、前記パッド本体が、突起部を有する第１パッドブロックと、凹部を有する第２パッドブロックとを備え、前記凹部が、前記突起部と対応して設けられ、且つ、前記第２パッドブロックの両端が、それぞれ前記第１パッドブロックの両端に接続されている。
【０００６】
前記第２パッドブロックが前記第１パッドブロックの上面に折り畳まれると、前記第１パッドブロックの突起部が前記第２パッドブロックの凹部よりも突出することで、ソファ構造が形成され、前記第２パッドブロックが展開されると、前記第１パッドブロックの上面が前記第２パッドブロックの上面と同一平面内に位置し、前記第１パッドブロックの突起部が前記第２パッドブロックの凹部内に位置することで、マットレス構造が形成される。
【０００７】
好ましくは、前記第１パッドブロックは、第１カバーと第１ライナーとを備え、前記第２パッドブロックは、第２カバーと第２ライナーとを備える。
【０００８】
前記第１ライナーは、前記第１カバー内に設けられ、前記第２ライナーは、前記第２カバー内に設けられ、且つ、前記第１カバーの両端は、それぞれ前記第２カバーの両端に接続されている。
【０００９】
好ましくは、前記第１パッドブロックは、第１ファスナーをさらに備え、前記第１カバーには、第１開口が設けられ、前記第１ファスナーは、前記第１開口に設けられ、前記第２パッドブロックは、第２ファスナーをさらに備え、前記第２カバーには、第２開口が設けられ、前記第２ファスナーは、前記第２開口に設けられている。
【００１０】
好ましくは、前記第１ライナーと前記第２ライナーとは、いずれもスポンジライナーである。
【００１１】
好ましくは、前記第１ライナーは、第１スポンジ層、第２スポンジ層、およびバネ層とを備え、前記第１スポンジ層と前記第２スポンジ層とは、それぞれ前記バネ層の上下両側に設けられ、前記第２ライナーは、第１スポンジ層、第２スポンジ層、およびバネ層とを備え、前記第１スポンジ層と前記第２スポンジ層とは、それぞれ前記バネ層の上下両側に設けられている。
【００１２】
好ましくは、前記第１カバーと前記第２カバーとは、ミシン縫製によって接続される。
【００１３】
好ましくは、前記第１カバーと前記第２カバーとは、ファスナーによって接続される。
【００１４】
好ましくは、前記第１パッドブロックは、「凸」字型構造をなし、前記第２パッドブロックは、「凹」字型構造をなす。
【００１５】
好ましくは、前記パッド本体は、２つ設けられ、一方の前記パッド本体の第１パッドブロックが、他方の前記パッド本体の第１パッドブロックに接続され、２つの前記パッド本体が展開された後、マットレスが形成される。
【００１６】
好ましくは、一方の前記パッド本体の第１パッドブロックと他方の前記パッド本体の第１パッドブロックは、ファスナーによって接続され、２つの前記パッド本体が展開された後、マットレスが形成される。
【考案の効果】
【００１７】
従来技術に比べて、本考案の巻き取り式ソファマットレスは、第１パッドブロックと、第１パッドブロックに接続される第２パッドブロックとを備え、第１パッドブロックが突起部を有し、第２パッドブロックが、当該突起部に対応して設けられた凹部を有し、さらに、第２パッドブロックが第１パッドブロックの上面に折り畳まれると、第１パッドブロックの突起部が第２パッドブロックの凹部よりも突出することで、ソファ構造が形成され、第２パッドブロックが展開されると、第１パッドブロックの上面と第２パッドブロックの上面とが、同一平面内に位置するとともに、第１パッドブロックの突起部が前記第２パッドブロックの凹部内に位置することで、マットレス構造が形成される。これにより、本考案のソファマットレスでは、展開される際、マットレスとして使用可能であり、折り畳まれる際、ソファとして使用可能であり、その用途は多様であり、実用性が強く、人々の日常生活により多くの利便性をもたらす。
【図面の簡単な説明】
【００１８】
【図１】本考案の実施形態における巻き取り式ソファマットレスが展開状態にある際の斜視図である。
【図２】本考案の実施形態における巻き取り式ソファマットレスが折り畳み状態にある際の斜視図である。
【図３】本考案の別の実施形態における巻き取り式ソファマットレスが展開状態にある際の斜視図である。
【図４】本考案の別の実施形態における巻き取り式ソファマットレスが折り畳み状態にある際の斜視図である。
【図５】本考案の別の実施形態における巻き取り式ソファマットレスの別の折り畳み状態を示す斜視図である。
【図６】本考案の別の実施形態における巻き取り式ソファマットレスの別の折り畳み状態を示す斜視図である。
【図７】本考案の別の実施形態における巻き取り式ソファマットレスが展開状態にある際の斜視図である。
【図８】本考案の別の実施形態における巻き取り式ソファマットレスが折り畳み状態にある際の斜視図である。
【図９】本考案の別の実施形態における巻き取り式ソファマットレスの別の折り畳み状態を示す斜視図である。
【図１０】本考案の別の実施形態における巻き取り式ソファマットレスの別の折り畳み状態を示す斜視図である。
【図１１】本考案の実施形態における巻き取り式ソファマットレスが圧縮真空巻き取られた後の斜視図である。
【図１２】本考案の実施形態における巻き取り式ソファマットレスの包装斜視図である。
【考案を実施するための形態】
【００１９】
本考案の目的、技術的解決手段および利点をより明確にするために、以下、図面および実施形態を参照して、本願をさらに詳細に説明する。なお、ここに記載した具体例は、あくまでも本発明を解釈するためのものであり、本発明を限定するものではないと考えられるべきである。
【００２０】
本考案の説明において、特に明確な規定や限定がない限り、用語「第１」、「第２」は、単に説明のためのものであり、相対的な重要性を指示又は示唆するものとして解釈されるべきではない。別途規定又は説明がない限り、用語「複数」とは、２つまたは２つ以上を指し、用語「接続」、「固定」などは、広義的に理解されるべきであり、例えば、「接続」は、固定接続であってもよいし、取り外し可能な接続、又は、一体的な接続、又は、電気的な接続であってもよいし、直接接続してもよいし、中間媒体を介して間接的に接続してもよい。当業者にとって，具体的な状況に基づいて上記用語の本考案における具体的な意味を理解することができる。
【００２１】
本明細書の記載において、本考案の実施形態に記載の「上」、「下」などの方位語は、図面に示される角度で説明されると理解されるべきであり、本考案の実施形態を限定するものであると理解されるべきではない。なお、上下の文脈において、一方の素子が他方の素子の「上」又は「下」に接続されると記載される場合、それが他方の素子の「上」又は「下」に直接接続されもよいし、中間素子を介して他方の素子の「上」又は「下」に間接的に接続されてもよい。
【００２２】
図１、図２に示すように、本考案の実施形態は、巻き取り式ソファマットレスを開示する。当該巻き取り式ソファマットレスが、パッド本体１を備え、パッド本体１が、第１パッドブロック１１と第２パッドブロック１２とを備える。第２パッドブロック１２の両端が、それぞれ第１パッドブロック１１の両端に接続され、且つ、第１パッドブロック１１が突起部１１０を有し、第２パッドブロック１２が凹部１２０を有し、凹部１２０が突起部１１０に対応して設けられる。
【００２３】
第２パッドブロック１２が第１パッドブロック１１の上面に折り畳まれる場合、第１パッドブロック１１の突起部１１０が第２パッドブロック１２の凹部１２０よりも突出することで、パッド本体１全体がソファ状の構造を形成する。第２パッドブロック１２が展開される場合、第１パッドブロック１１の上面と第２パッドブロック１２の上面とが同一平面内に位置し、同時に、第１パッドブロック１１の突起部１１０が第２パッドブロック１２の凹部１２０内に位置することで、パッド本体１全体がマットレス構造を形成する。
【００２４】
本考案の巻き取り式ソファマットレスでは、展開時に、マットレスとして使用可能であり、折り畳み時に、ソファとして使用可能であるため、その実用性が強く、人々の日常生活により多くの利便性をもたらす。
【００２５】
具体的に、第１パッドブロック１１は、第１カバー１１１、第１ライナー１１２および第１ファスナー１１３を備え、第１カバー１１１には、第１開口１１１ａが開けられ、第１ファスナー１１３が第１開口１１１ａに設けられている。第２パッドブロック１２は、第２カバー１２１、第２ライナー１２２および第２ファスナー１２３を備え、第２カバー１２１には、第２開口１２１ａが開けられ、第２ファスナー１２３が第２開口１２１ａに設けられている。組み立て時に、第１ライナー１１２を第１カバー１１１の第１開口１１１ａから第１カバー１１１内に入れ、第１ファスナー１１３を閉めて、第２ライナー１２２を第２カバー１２１の第２開口１２１ａから第２カバー１２１内に入れ、第２ファスナー１２３を閉めるようにすれば、当該ソファマットレスの組立を完了させる。
【００２６】
本実施形態では、第１ライナー１１２と第２ライナー１２２は、いずれもスポンジライナーである。第１カバー１１１と第２カバー１２１とが、ファスナーによって接続される。理解されるように、他の実施形態では、第１カバー１１１と第２カバー１２１は、ミシン縫製の方式で接続されてもよい。
【００２７】
上記実施形態に加え、本考案には、別の具体的な実施形態が開示される。本実施形態では、パッド本体１が２つ設けられ、一方のパッド本体１の第１パッドブロック１１が、他方のパッド本体１の第１パッドブロック１１とファスナーによって接続され、第１パッドブロック１１の突起部１１０が半円形をなし、第２パッドブロック１２の凹部１２０も半円形をなし、且つ、第１パッドブロック１１の突起部１１０の半径が、第２パッドブロック１２の凹部１２０の半径よりもわずかに小さく、又は、第２パッドブロック１２の凹部１２０の半径と等しく形成されることによって、第２パッドブロック１２０が展開されると、第１パッドブロック１１の突起部１１０が第２パッドブロック１２の凹部１２０内にちょうど落ち込むようになる。
【００２８】
本考案では、図３に示すように、２つのパッド本体１が展開されると、マットレスを形成することができ、図４、図５および図６に示すように、２つのパッド本体１が折り畳まれると、様々な構造のソファを形成することができる。
【００２９】
上記実施形態に加え、本考案には、さらに別の具体的な実施形態が開示される。本実施形態では、パッド本体１が２つ設けられ、一方のパッド本体１の第１パッドブロック１１が、他方のパッド本体１の第１パッドブロック１１とファスナーによって接続され、且つ、第１パッドブロック１１が「凸」字型構造をなし、第２パッドブロック１２が「凹」字型構造をなす。
【００３０】
また、本実施形態では、第１ライナー１１２が第１スポンジ層、第２スポンジ層、およびバネ層を備え、第１スポンジ層と第２スポンジ層が、それぞれバネ層の上下両側に設けられ、第２ライナー１２２が第１スポンジ層、第２スポンジ層およびバネ層を備え、第１スポンジ層と第２スポンジ層がそれぞれバネ層の上下両側に設けられ、バネ層がバネおよび布袋を備え、布袋をバネの外面に包んでバネ層を形成する。
【００３１】
本考案では、図７に示すように、２つのパッド本体１が展開されると、マットレスを形成することができ、図８、図９および図１０に示すように、２つのパッド本体１が折り畳まれると、様々な構造のソファを形成することができる。
【００３２】
また、本考案の巻き取り式ソファマットレス１００は、圧縮真空によって巻き取られてから、包装箱２００によって包装することができ、その巻き取られた後の形状が図１１に示され、その包装された後の状態が図１２に示される。
【００３３】
本考案の巻き取り式ソファマットレスの包装方式としては、圧縮真空巻き取り方式を採用することができ、これによって、輸送が便利になり、輸送と貯蔵の空間を大幅に節約させる。
【００３４】
上述したのは、本考案の好ましい具体的な実施形態に過ぎず、本考案の保護範囲がこれに限定されない。当業者が本考案に開示された技術的範囲において、変更又は置換を容易に想到することができるが、本考案の保護範囲に含まれるべきである。従って、本考案の保護範囲が実用新案登録請求の範囲を基準とすべきである。
【符号の説明】
【００３５】
１  パッド本体
１１  第１パッドブロック
１１０  突起部
１１１  第１カバー
１１１ａ  第１開口
１１２  第１ライナー
１１３  第１ファスナー
１２  第２パッドブロック
１２０  凹部
１２１  第２カバー
１２１ａ  第２開口
１２２  第２ライナー
１２３  第２ファスナー
１００  巻き取り式ソファマットレス
２００  包装箱。
【図１】
0003223774.tif 000003
【図２】
0003223774.tif 000004
【図３】
0003223774.tif 000005
【図４】
0003223774.tif 000006
【図５】
0003223774.tif 000007
【図６】
0003223774.tif 000008
【図７】
0003223774.tif 000009
【図８】
0003223774.tif 000010
【図９】
0003223774.tif 000011
【図１０】
0003223774.tif 000012
【図１１】
0003223774.tif 000013
【図１２】
0003223774.tif 000014